(57)【要約】【課題】伝送効率を向上させたＰＯＮシステム及びその通信方法を提供する。【解決手段】帯域最適化機能を有する各加入者側装置が伝送効率の最適化を行うようにしたことにより、ＰＯＮシステム上の通信を行う際に、局舎側装置と加入者側装置との間の蓄積データ量だけではなく、伝送距離や通信品質の状態を含めて、各加入者側装置毎に最適な帯域幅割り当てをすることができ、その結果、システム全体として伝送効率を向上させることができる。【選択図】図１
2008306434.tif 000002
【特許請求の範囲】
【請求項１】
帯域最適化機能を有する各加入者側装置が伝送効率の最適化を行うようにしたことを特徴とするＰＯＮシステム。
【請求項２】
複数のユーザがそれぞれ使用する加入者側装置と、上位ネットワークに接続された局舎側装置と、前記各加入者側装置と前記局舎側装置とを接続して光信号を分岐・合波する光スプリッタとを備えたＰＯＮシステムにおいて、
前記各加入者側装置は、帯域最適化機能を有し、その帯域最適化機能により伝送効率の最適化を行うようにしたことを特徴とするＰＯＮシステム。
【請求項３】
前記各加入者側装置は、伝送距離と通信品質の状態とに応じて伝送効率の最適化を行うようにしたことを特徴とする請求項１または２記載のＰＯＮシステム。
【請求項４】
前記各加入者側装置は、局舎側装置までの距離と、ＦＥＣ実装によるオーバーヘッドと、加入者間通信の伝送品質の度合いとを加味した帯域割り当てを行う制御部を備え、各加入者側装置毎に帯域割り当てを最適化して通信を行うようにしたことを特徴とする請求項１から３のいずれか１項記載のＰＯＮシステム。
【請求項５】
複数のユーザがそれぞれ使用する加入者側装置と、上位ネットワークに接続された局舎側装置と、前記各加入者側装置と前記局舎側装置とを接続して光信号を分岐・合波する光スプリッタとを備えたＰＯＮシステムにおいて、
前記各加入者側装置は、前記各加入者側装置に帯域割り当てを行う際に、前記局舎側装置までの距離に関係する往復伝搬遅延ＲＴＴを基にすると共に、ＦＥＣ実装による冗長度を基にし、通信品質に関するエラー度を基にし、各加入者側装置毎に帯域割り当てを最適化する制御部を有し、
前記局舎側装置は、前記ＲＴＴを計測及び判定する計測判定部と通信品質を判断するエラー判定部とを有することを特徴とするＰＯＮシステム。
【請求項６】
帯域最適化機能を有する各加入者側装置が伝送効率の最適化を行うことを特徴とするＰＯＮシステムの通信方法。
【請求項７】
複数のユーザがそれぞれ使用する加入者側装置と、上位ネットワークに接続された局舎側装置とが光スプリッタを介して光信号の授受を行うＰＯＮシステムの通信方法において、
前記各加入者側装置は、帯域最適化機能により伝送効率の最適化を行うことを特徴とするＰＯＮシステムの通信方法。
【請求項８】
前記各加入者側装置は、伝送距離と通信品質の状態とに応じて伝送効率の最適化を行うことを特徴とする請求項６または７記載のＰＯＮシステムの通信方法。
【請求項９】
前記加入者側装置は、局舎側装置までの距離と、ＦＥＣ実装によるオーバーヘッドと、加入者間通信の伝送品質の度合いとを加味した帯域割り当てを行う制御部によって、各加入者側装置毎に帯域割り当てを最適化して通信を行うことを特徴とする請求項６から８のいずれか１項記載のＰＯＮシステムの通信方法。
【発明の詳細な説明】
【技術分野】
【０００１】
本発明は、光通信のアクセス系ネットワークとして知られるＰＯＮシステム及びその通信方法に関する。
【背景技術】
【０００２】
光通信のアクセス系ネットワーク技術として知られているシステムの１つにＰＯＮ（Passive  Optical  Network）システムがある。このＰＯＮシステムについて図７を用いて説明する。
図７は本発明の前提となったＰＯＮシステムの概念図である。
【０００３】
ＰＯＮシステムは、複数のユーザで装置や光ファイバを共有する方式で、局舎側装置としての局内装置となるＯＬＴ（Optical  Line  Terminal）１、とユーザ宅に設置する加入者側装置としてのＯＮＵ（Optical  Network  Unit）３とで構成される。
ＯＬＴ１とＯＮＵ３間は光ファイバ５で接続され、この途中に光スプリッタ２と呼ばれる光合分波器が設置され、この光スプリッタ２に複数のＯＮＵ３が接続される。
【０００４】
例えば最大３２台のＯＮＵ３で一つのＯＬＴ１を共有する場合でも、伝送速度が1.25GbpsのＧＥ−ＰＯＮシステムならば、１ユーザー当たり最低40Mbps程度の帯域が確保されることになる（但し、上記帯域は、ＯＬＴからの固定での静的帯域割り当てにより配分された場合である。）
このように、複数のユーザで設備を共有できることから非常に経済的なシステム構築が可能である。
【０００５】
このＰＯＮシステムにおける帯域割り当てについては、静的帯域割り当て（接続ユーザ数の頭割り）による方式と、動的帯域割り当てによる方式とが存在する。
動的帯域割り当て（DBA：Dynamic Bandwidth Allocation）は、まずデータを送信しようとするＯＮＵが、ＯＬＴからのコマンドに従って送信データ蓄積量を通知する。ＯＮＵからの通知を受けたＯＬＴは、その蓄積量の大小によって許容帯域幅を該当ＯＮＵに対して通知する。ＯＬＴからの通知を受けたＯＮＵが許容帯域幅以下で蓄積データをＯＬＴに対して送信処理を行う。この時の割り当ては、あくまでデータ蓄積量で判断されるため、ＯＬＴまでの接続距離や接続品質等のパラメータは考慮されない。
【０００６】
ところで、ストリーミング型映像配信サービスやテレビ会議サービス等で利用されているアプリケーション型のＱｏＳ（Quality of Service：通信品質）制御技術としてＦＥＣ（Forward  Error  Correction）技術（前方誤り訂正技術）が存在している。
インターネットやイントラネット等のベストエフォート型ネットワークでは、ネットワークの混雑やネットワーク内の任意の装置で発生したオーバーフロー等が原因で、通信中の情報の一部（パケット・フレーム）が失われることがある。
【０００７】
ＦＥＣ技術は、通信中にデータの一部が欠落した場合にそれを補正する技術である。基本的な考え方は、以下の通りである。
（ａ）伝送したい情報に冗長な情報を付加する。
（ｂ）ネットワーク内でたとえ一部の情報が失われたとしても、受信できた情報（冗長な情報が付加されたパケット）から元の伝送情報を修復する。
【０００８】
また、ＰＯＮシステムにおいて、ＯＬＴが許可帯域を算出し、各ＯＮＵに対して通知する通信装置等（例えば、特許文献１参照。）、ウィンドウ制御などによって送出帯域が抑制される場合のスループットを改善する帯域割当回路（例えば、特許文献２参照。）、データ伝送の状態に応じて伝送帯域の割り当てを行う無線通信システム（例えば、特許文献３参照。）が開発されている。
【特許文献１】特開２００６−００５３８７号公報
【特許文献２】特開２００３−２５８８８３号公報
【特許文献３】特開２００１−２２３７１６号公報
【発明の開示】
【発明が解決しようとする課題】
【０００９】
ところで、ＦＥＣ技術は、伝送情報に冗長情報を付加するプロセス（送信側）と、パケット損失を検出するプロセス及び冗長情報付きのデータから伝送情報を復元するプロセス（受信側）から成る。基本的には、付加情報の冗長率を高めればパケット損失に対する耐性（エラー耐性）は高くなるが伝送効率は低下する。また、冗長率を高めれば復号に要する計算量も増大する。
【００１０】
ＰＯＮシステムにおいて、このＦＥＣ技術を接続距離に重点を置いて実装したとすれば、ＯＬＴとの接続距離が異なるＯＮＵが混在するＰＯＮシステムにおいては、ＯＬＴからの接続距離が一番遠いＯＮＵに適したＦＥＣ冗長率が必要となるため、ＯＬＴから近いＯＮＵについては必要以上のＦＥＣ冗長率が付加され、近端のＯＮＵについては伝送効率が悪化するという問題点があった。
【００１１】
また、既に説明したＰＯＮシステムにおけるＯＬＴ側の動的帯域割り当ては、あくまでＯＮＵ側のデータ蓄積量をもとに配分が行われるため、このＦＥＣ実装によるオーバーヘッド分は考慮されないという問題や、ＯＬＴ−ＯＮＵ間通信品質の状態に関わらず割り当て処理がされるといった問題もあった。
【００１２】
さらに、前述したとおり、ＰＯＮシステムにおいては、ＦＥＣ技術を実装する場合、同一のＰＯＮシステムに接続される全てのＯＮＵについて同様なＦＥＣ処理が施されるため、ＯＬＴ−ＯＮＵ間接続距離により伝送効率の悪化が発生する。またＯＬＴからの動的帯域割り当ては、あくまでＯＮＵのデータ蓄積量による判断であり、ＦＥＣ実装した場合のオーバーヘッドや、接続距離、接続品質等が考慮されないため、この場合にも伝送効率が悪化することになる。
【００１３】
そこで、本発明の目的は、伝送効率を向上させたＰＯＮシステム及びその通信方法を提供することにある。
【課題を解決するための手段】
【００１４】
上記課題を解決するため、本発明の請求項１記載の発明は、帯域最適化機能を有する各加入者側装置が伝送効率の最適化を行うようにしたことを特徴とする。
【００１５】
請求項２記載の発明は、複数のユーザがそれぞれ使用する加入者側装置と、上位ネットワークに接続された局舎側装置と、前記各加入者側装置と前記局舎側装置とを接続して光信号を分岐・合波する光スプリッタとを備えたＰＯＮシステムにおいて、前記各加入者側装置は、帯域最適化機能を有し、その帯域最適化機能により伝送効率の最適化を行うようにしたことを特徴とする。
【００１６】
請求項３記載の発明は、請求項１または２記載の発明において、前記各加入者側装置は、伝送距離と通信品質の状態とに応じて伝送効率の最適化を行うようにしたことを特徴とする。
【００１７】
請求項４記載の発明は、請求項１から３のいずれか１項記載の発明において、前記各加入者側装置は、局舎側装置までの距離と、ＦＥＣ実装によるオーバーヘッドと、加入者間通信の伝送品質の度合いとを加味した帯域割り当てを行う制御部を備え、各加入者側装置毎に帯域割り当てを最適化して通信を行うようにしたことを特徴とする。
【００１８】
請求項５記載の発明は、複数のユーザがそれぞれ使用する加入者側装置と、上位ネットワークに接続された局舎側装置と、前記各加入者側装置と前記局舎側装置とを接続して光信号を分岐・合波する光スプリッタとを備えたＰＯＮシステムにおいて、前記各加入者側装置は、前記各加入者側装置に帯域割り当てを行う際に、前記局舎側装置までの距離に関係する往復伝搬遅延ＲＴＴを基にすると共に、ＦＥＣ実装による冗長度を基にし、通信品質に関するエラー度を基にし、各加入者側装置毎に帯域割り当てを最適化する制御部を有し、前記局舎側装置は、前記ＲＴＴを計測及び判定する計測判定部と通信品質を判断するエラー判定部とを有することを特徴とする。
【００１９】
請求項６記載の発明は、帯域最適化機能を有する各加入者側装置が伝送効率の最適化を行うことを特徴とする。
【００２０】
請求項７記載の発明は、複数のユーザがそれぞれ使用する加入者側装置と、上位ネットワークに接続された局舎側装置とが光スプリッタを介して光信号の授受を行うＰＯＮシステムの通信方法において、前記各加入者側装置は、帯域最適化機能により伝送効率の最適化を行うことを特徴とする。
【００２１】
請求項８記載の発明は、請求項６または７記載の発明において、前記各加入者側装置は、伝送距離と通信品質の状態とに応じて伝送効率の最適化を行うことを特徴とする。
【００２２】
請求項９記載の発明は、請求項６から８のいずれか１項記載の発明において、前記加入者側装置は、局舎側装置までの距離と、ＦＥＣ実装によるオーバーヘッドと、加入者間通信の伝送品質の度合いとを加味した帯域割り当てを行う制御部によって、各加入者側装置毎に帯域割り当てを最適化して通信を行うことを特徴とする。
【発明の効果】
【００２３】
本発明によれば、帯域最適化機能を有する各加入者側装置が伝送効率の最適化を行うようにしたことにより、ＰＯＮシステム上の通信を行う際に、局舎側装置と加入者側装置との間の蓄積データ量だけではなく、伝送距離や通信品質の状態を含めて、各加入者側装置毎に最適な帯域幅割り当てをすることができ、その結果、システム全体として伝送効率を向上させることができる。
【発明を実施するための最良の形態】
【００２４】
本発明に係るＰＯＮシステムの一実施の形態は、帯域最適化機能を有する各加入者側装置が伝送効率の最適化を行うようにしたことを特徴とする。
【００２５】
上記構成によれば、帯域最適化機能を有する各加入者側装置が伝送効率の最適化を行うようにしたことにより、ＰＯＮシステム上の通信を行う際に、局舎側装置と加入者側装置との間の蓄積データ量だけではなく、伝送距離や通信品質の状態を含めて、各加入者側装置毎に最適な帯域幅割り当てをすることができ、その結果、システム全体として伝送効率を向上させることができる。
【００２６】
本発明に係るＰＯＮシステムの他の実施の形態は、複数のユーザがそれぞれ使用する加入者側装置と、上位ネットワークに接続された局舎側装置と、各加入者側装置と局舎側装置とを接続して光信号を分岐・合波する光スプリッタとを備えたPONシステムにおいて、各加入者側装置は、帯域最適化機能を有し、その帯域最適化機能により伝送効率の最適化を行うようにしたことを特徴とする。
【００２７】
上記構成によれば、帯域最適化機能を有する各加入者側装置が伝送効率の最適化を行うようにしたことにより、ＰＯＮシステム上の通信を行う際に、局舎側装置と加入者側装置との間の蓄積データ量だけではなく、伝送距離や通信品質の状態を含めて、各加入者側装置毎に最適な帯域幅割り当てをすることができ、その結果、システム全体として伝送効率を向上させることができる。
【００２８】
本発明に係るＰＯＮシステムの他の実施の形態は、上記構成に加え、各加入者側装置は、伝送距離と通信品質の状態とに応じて伝送効率の最適化を行うようにしたことを特徴とする。
【００２９】
上記構成によれば、各加入者側装置は、伝送距離と通信品質の状態とに応じて伝送効率の最適化を行うようにしたことにより、よりシステム全体としての伝送効率を向上させることができる。
【００３０】
本発明に係るＰＯＮシステムの他の実施の形態は、上記構成に加え、各加入者側装置は、局舎側装置までの距離と、ＦＥＣ実装によるオーバーヘッドと、加入者間通信の伝送品質の度合いとを加味した帯域割り当てを行う制御部を備え、各加入者側装置毎に帯域割り当てを最適化して通信を行うようにしたことを特徴とする。
【００３１】
上記構成によれば、各加入者側装置は、局舎側装置までの距離と、ＦＥＣ実装によるオーバーヘッドと、加入者間通信の伝送品質の度合いとを加味した帯域割り当てを行う制御部を備え、各加入者側装置毎に帯域割り当てを最適化して通信を行うようにしたことにより、よりシステム全体としての伝送効率を向上させることができる。
【００３２】
本発明に係るＰＯＮシステムの他の実施の形態は、複数のユーザがそれぞれ使用する加入者側装置と、上位ネットワークに接続された局舎側装置と、各加入者側装置と局舎側装置とを接続して光信号を分岐・合波する光スプリッタとを備えたＰＯＮシステムにおいて、各加入者側装置は、各加入者側装置に帯域割り当てを行う際に、局舎側装置までの距離に関係する往復伝搬遅延ＲＴＴを基にすると共に、ＦＥＣ実装による冗長度を基にし、通信品質に関するエラー度を基にし、各加入者側装置毎に帯域割り当てを最適化する制御部を有し、局舎側装置は、ＲＴＴを計測及び判定する計測判定部と通信品質を判断するエラー判定部とを有することを特徴とする。
【００３３】
上記構成によれば、各加入者側装置は、各加入者側装置に帯域割り当てを行う際に、局舎側装置までの距離に関係する往復伝搬遅延ＲＴＴを基にすると共に、FEC実装による冗長度を基にし、通信品質に関するエラー度を基にし、各加入者側装置毎に帯域割り当てを最適化する制御部を有し、局舎側装置は、ＲＴＴを計測及び判定する計測判定部と通信品質を判断するエラー判定部とを有することにより、よりシステム全体としての伝送効率を向上させることができる。
【００３４】
本発明に係るＰＯＮシステムの通信方法の一実施の形態は、帯域最適化機能を有する各加入者側装置が伝送効率の最適化を行うことを特徴とする。
【００３５】
上記構成によれば、帯域最適化機能を有する各加入者側装置が伝送効率の最適化を行うことにより、ＰＯＮシステム上の通信を行う際に、局舎側装置と加入者側装置との間の蓄積データ量だけではなく、伝送距離や通信品質の状態を含めて、各加入者側装置毎に最適な帯域幅割り当てをすることができ、その結果、システム全体として伝送効率を向上させることができる。
【００３６】
本発明に係るＰＯＮシステムの通信方法の他の実施の形態は、複数のユーザがそれぞれ使用する加入者側装置と、上位ネットワークに接続された局舎側装置とが光スプリッタを介して光信号の授受を行うＰＯＮシステムの通信方法において、前記各加入者側装置は、帯域最適化機能により伝送効率の最適化を行うことを特徴とする。
【００３７】
上記構成によれば、各加入者側装置は、帯域最適化機能により伝送効率の最適化を行うことにより、ＰＯＮシステム上の通信を行う際に、局舎側装置と加入者側装置との間の蓄積データ量だけではなく、伝送距離や通信品質の状態を含めて、各加入者側装置毎に最適な帯域幅割り当てをすることができ、その結果、システム全体として伝送効率を向上させることができる
【００３８】
本発明に係るＰＯＮシステムの通信方法の他の実施の形態は、上記構成に加え、加入者側装置は、伝送距離と通信品質の状態とに応じて伝送効率の最適化を行うことを特徴とする。
【００３９】
上記構成によれば、加入者側装置は、伝送距離と通信品質の状態とに応じて伝送効率の最適化を行うことにより、よりシステム全体としての伝送効率を向上させることができる。
【００４０】
本発明に係るＰＯＮシステムの通信方法の他の実施の形態は、上記構成に加え、加入者側装置は、局舎側装置までの距離と、ＦＥＣ実装によるオーバーヘッドと、加入者間通信の伝送品質の度合いとを加味した帯域割り当てを行う制御部によって、各加入者側装置毎に帯域割り当てを最適化して通信を行うことを特徴とする。
【００４１】
上記構成によれば、加入者側装置は、局舎側装置までの距離と、ＦＥＣ実装によるオーバーヘッドと、加入者間通信の伝送品質の度合いとを加味した帯域割り当てを行う制御部によって、各加入者側装置毎に帯域割り当てを最適化して通信を行うことにより、よりシステム全体としての伝送効率を向上させることができる。
【００４２】
なお、上述した実施の形態は、本発明の好適な実施の形態の一例を示すものであり、本発明はそれに限定されることなく、その要旨を逸脱しない範囲内において、種々変形実施が可能である。
【実施例１】
【００４３】
本発明に係るＰＯＮシステム及びその通信方法は、ＯＬＴとＯＮＵとの間の距離すなわち往復伝播遅延ＲＴＴ（Round Trip Time）と、ＦＥＣ実装によるオーバーヘッドと、ＯＮＵ間通信伝送品質度合いとを加味した帯域割り当てを行う制御部をＯＬＴ装置に備え、各ＯＮＵ毎に帯域割り当てを最適化して通信を行うことを特徴とする。
【００４４】
図７は、本発明の実施例による通信方式全体構成図である。図７の説明については、発明の背景にて説明したとおりであるので、ここでは割愛する。
図７におけるＯＬＴ及びＯＮＵそれぞれの詳細構成図を図１及び図２にて説明する。
図１は、本発明に係るＰＯＮシステムに用いられるＯＬＴの一実施例を示す詳細構成図である。
図１において、１０１はＯＬＴ装置である。１０２は、ＯＮＵ側回線部分（光ファイバ）であり、この部分を通して上り信号と下り信号の授受が行われる。１０３は、上位ネットワーク側の接続回線（光ファイバ）である。
【００４５】
１０４は、ＯＮＵ側との光信号を送受信する際の入出力部分であり、光信号を電気信号に変換し、それとは逆に電気信号を光信号に変換するＯ／Ｅ変換部である。遅延時間判定部１０５はＯＬＴ側からのデータ送信をトリガに時間計測をスタートし、ＯＮＵ側からの応答データを受信したタイミングで時間計測をストップすることで、往復伝播遅延ＲＴＴ（Round Trip Time）を測定する判定部である。１０６は、送受信データに対しＦＥＣ冗長データの付加、除去を行うＦＥＣ処理部である。１０７は、ＯＮＵ側及び上位ネットワーク側との送受信データについて制御を行う通信データ制御部である。１０８は、各ＯＮＵ毎に各種パラメータを元に帯域割り当ての算出を行うＯＮＵ帯域割り当て制御部である。１０９は、ＯＮＵ間との通信におけるエラー度合いの検出・判定を行うエラー判定部である。１１０は、ＯＮＵに対するデータの生成を行う通信データ制御部である。
【００４６】
図２は、本発明に係るＰＯＮシステムに用いられるＯＮＵの一実施例を示す詳細構成図である。
図２において、２０１はＯＮＵ装置である。２０２は、ユーザ側装置とのインターフェース部である。２０３は、ＯＬＴ側との信号の授受を行うための通信回線（光ファイバ）である。２０４は、ユーザ側装置からの上り信号データを蓄積するための上り蓄積バッファである。２０５は、ＯＬＴに対する送信データを規定されたタイミングでバースト信号として出力する送信バースト信号制御部である。２０６は、ＯＬＴ側からの帯域割り当て内容を判定するＯＮＵ帯域割り当て判定部である。２０７は、送受信データに対しＦＥＣ冗長データの付加、除去を行うＦＥＣ処理部である。２０８は、ＯＬＴ側との光信号を送受信する際の入出力部分となり、光信号を電気信号に変換し、電気信号を光信号に変換するＯ／Ｅ変換部である。２０９は通信回線（光ファイバ）である。
〔実施例の動作の説明〕
【００４７】
次に動作について説明をする。
まず、ＰＯＮシステム上で新規ＯＮＵの起動によりＯＬＴ側への登録を行うために、IEEE802.3ahに規定されている通りオートディスカバリによる処理が実行される。この機能については、図３のシーケンス図にて説明する。
図３は本発明に係るＰＯＮシステムの通信方法の一実施例を示すシーケンス図である。
未検出状態のＯＮＵは、Discovery  GATEコマンドを受信する。
このコマンド応答としてRegister  RequestコマンドをＯＬＴ側へ送信し、リンクＵＰを要求する。
ＯＬＴは、リンクＵＰ要求に対し、論理リンクＩＤ（LLID：Logical Link Identification Number）を予約し、このＬＬＩＤをRegisterコマンドに入れてＯＮＵ側へ送信する。
このコマンドを受けたＯＮＵは、ＬＬＩＤを認識する。ＯＬＴは、上り帯域割り当て許可コマンドであるNormal  GATEコマンドを送信し、ＯＮＵはこのコマンドに指定されたタイミングでRegister ACKコマンドを送信する。
ＯＬＴが、このコマンドを受けて初めてリンクＵＰが確立する。その後の通信は、ＯＮＵ側の通信データ蓄積量に応じて、動的にＯＬＴ側から帯域の割り当てが行われる。
１つのＰＯＮシステムにおける各ＯＮＵは、図１に示したとおりＯＬＴとの接続距離がそれぞれ異なる。
【００４８】
そこで、図３のシーケンスに記載したタイミングで、遅延時間判定部１０５（図１）にて、ＯＬＴ側からのDiscovery GATEコマンド送信後で計測をスタートし、Register Requestコマンドの受信で計測をストップすることでＯＬＴからＯＮＵまでの距離、すなわち往復伝播遅延ＲＴＴ（Round  Trip  Time）を測定することが可能である。この数値は、計測後、ＬＬＩＤとセットで図１のＯＮＵ帯域割り当て制御部２０８へと通知される。
【００４９】
ＯＬＴとＯＮＵとの間で送受信されるデータのＦＥＣ冗長部分の付加・除去を行うＦＥＣ処理部１０６（図１）では冗長度をＬＬＩＤと共にＯＮＵ帯域割り当て制御部１０８（図１）へと通知する。冗長度は、付加されている冗長データのサイズや強度により、例えば０（弱い）〜１０（強い）までの数値として確定させる。
【００５０】
次にＦＥＣ部分が除去されている送受信データの解析・制御を通信データ制御部１０７（図１）で行い、データフレーム内のＦＣＳ（Flag Check Sequence）やフレーム落ちの情報をエラー判定部１０９（図１）にて行う。この結果をエラー度合いとしてＬＬＩＤと共にＯＮＵ帯域割り当て制御部２０８（図２）に通知する。エラー度合いについては、例えばＦＣＳとフレーム落ち情報の積算値として算出する。
【００５１】
ＦＣＳについては、例えば１０個のフレーム受信のうち、２個がＦＣＳエラーとなれば、２／１０＝０．２として判定する。またフレーム落ち情報としては、例えば、１０個のフレームを受信しなければならないところ、２個が消失したとすれば、２／１０＝０．２として判定する。これらの情報から、エラー度合いはＦＣＳエラー０．２×フレーム落ち情報０．２＝０．０４と計算する。
【００５２】
ＲＴＴ、冗長度、エラー度合いのパラメータを元にＯＮＵ帯域割り当て制御部２０８（図２）は、該当ＯＮＵの帯域割り当て算出を行う。
例えば、ＯＬＴ側から動的帯域割り当てによって帯域100MbpsのＯＮＵにおいて、冗長度:5、エラー度：0.04の最適帯域算出方法を以下のようにする。
【００５３】
100Mbps×（冗長度5／冗長度10＋1）×（エラー度0.04＋1）＝124.8Mbps
つまり、ＯＬＴ側にて割り当てる通常動的帯域幅に加えて、冗長度が高ければ高いほど、エラー度が高ければ高いほど、帯域の割り当てが大きくなるように設定する。逆に冗長度が低ければ低いほど、エラー度が低ければ低いほど、帯域の割り当てが小さくなるように設定する。
【００５４】
この処理をＯＬＴと各ＯＮＵ間にて随時判定、更新することで、常に最適な帯域割り当てが可能となる。
【００５５】
ＯＬＴから帯域割り当て情報コマンドを受けた場合、ＯＮＵは、FEC処理部２０７（図２）を通し、コマンドの内容をＯＮＵ帯域割り当て判定部２０６（図２）にて判断し、送信バースト信号制御部２０５（図２）に帯域幅を通知し、送信データの帯域変更内容を反映させる。送信バースト制御部２０５（図２）は、この帯域幅を超えない範囲で、上り蓄積バッファ２０４（図２）の内容を送信する。
このような処理を各ＯＮＵ毎に施すことにより、ＯＬＴと各ＯＮＵ間通信の帯域幅を制御でき、システム全体として最適化される。
【実施例２】
【００５６】
実施例１では、ＯＬＴ装置と各ＯＮＵ装置との間の接続距離判定の際に往復伝播遅延ＲＴＴ（Round Trip  Time）を計測する遅延時間判定部と、ＯＬＴ装置とＯＮＵ装置との間の通信品質を判断するためのエラー判定部を、共にＯＬＴ装置側に実装することで実現したが、これらの機能を各ＯＮＵ装置側に実装しても同様の効果が期待できる。
【００５７】
図４は本発明に係るＰＯＮシステムに用いられるＯＬＴ装置の他の実施例を示すブロック図であり、図５は本発明に係るＰＯＮシステムに用いられるＯＮＵ装置の他の実施例を示すブロック図である。すなわち、図４及び図５は、上記内容を反映したＯＬＴ装置とＯＮＵ装置のブロック図である。図６は本発明に係るＰＯＮシステムの通信方法の他の実施例におけるシーケンス図である。
各機能部の説明については、実施例１と同様であるため、ここでは割愛する。
まず、ＯＬＴ装置とＯＮＵ装置間の接続距離を測定するため、ＯＮＵ装置では、ＯＬＴ装置からの図６のDiscovery  GATEコマンド受信後、Register  Requestコマンドを送出するタイミングで、遅延時間判定部５１０（図５）での計測をスタートする。ＯＬＴ側からのRegisterコマンド受信によりＯＮＵ装置側は遅延時間判定部５１０（図５）での計測をストップし、往復伝播遅延RTT（Round  Trip Time）を算出する（図６）。
また、エラー度については、エラー判定部５１０（図５）において、FEC冗長部を取り除いたデータについてＯＬＴ間通信におけるデータフレーム内のＦＣＳ（Flag Check Sequence）やフレーム落ち情報を判定する。
これらの冗長度とエラー度とを、ＯＬＴ側装置へ送信することにより、ＯＬＴ側ではＦＥＣ冗長部を取り除き、ＯＮＵ帯域割り当て制御部４０７（図４）で先の実施例で説明したとおり最適帯域算出を行う。
その後の動作は、実施例１と同様であるので説明を省略する。
【００５８】
〔作用効果〕
この発明により、ＰＯＮシステム上の通信を行う際に、ＯＬＴとＯＮＵ間の蓄積データ量だけではなく、伝送距離や通信品質の状態を含めて、各ＯＮＵ毎に最適な帯域幅割り当てをすることができ、その結果、システム全体として伝送効率の最適化に繋がる。
【産業上の利用可能性】
【００５９】
本発明は、光通信アクセス系ネットワーク技術として知られているＰＯＮ（Passive  Optical  Network）システムに利用できる。
【図面の簡単な説明】
【００６０】
【図１】本発明に係るＰＯＮシステムに用いられるＯＬＴの一実施例を示す詳細構成図である。
【図２】本発明に係るＰＯＮシステムに用いられるＯＮＵの一実施例を示す詳細構成図である。
【図３】本発明に係るＰＯＮシステムの通信方法の一実施例を示すシーケンス図である。
【図４】本発明に係るＰＯＮシステムに用いられるＯＬＴ装置の他の実施例を示すブロック図である。
【図５】本発明に係るＰＯＮシステムに用いられるＯＮＵ装置の他の実施例を示すブロック図である。
【図６】本発明に係るＰＯＮシステムの通信方法の他の実施例におけるシーケンス図である。
【図７】本発明の前提となったＰＯＮシステムの概念図である。
【符号の説明】
【００６１】
１０１    ＯＬＴ（局舎側装置）
１０２    光ファイバ（ＯＮＵ側回線）
１０３    光ファイバ（接続回線）
１０４    Ｏ／Ｅ変換部
１０５    遅延時間判定部
１０６    ＦＥＣ処理部
１０７    通信データ制御部
１０８    ＯＮＵ帯域割り当て制御部
１０９    エラー判定部
１１０    通信データ制御部
２０１    ＯＮＵ装置（加入者側装置）
２０２    インターフェース部
２０３    通信回線（光ファイバ）
２０４    上り蓄積バッファ
２０５    送信バースト信号制御部
２０６    ＯＮＵ帯域割り当て制御部
２０７    ＦＥＣ処理部
２０８    Ｏ／Ｅ変換部
２０９    通信回線（光ファイバ）
【図１】
2008306434.tif 000003
【図２】
2008306434.tif 000004
【図３】
2008306434.tif 000005
【図４】
2008306434.tif 000006
【図５】
2008306434.tif 000007
【図６】
2008306434.tif 000008
【図７】
2008306434.tif 000009